(57)【要約】【課題】簡易な手段で封じ込め地区からの汚染地下水の拡散を防止することができる原位置封じ込め工法を提供する。【解決手段】遮水壁１０によって汚染土壌４を周囲５から隔離して封じ込める。遮水壁１０には、上端から下方に凹む低所よりなる地下水流出部１１が１箇所又は複数箇所に設けられている。浄化部１２は、砂、砕石などの透水性材料と、鉄粉及び／又は活性炭などの汚染物質の除去ないし分解等による浄化作用を奏する処理剤との混合物よりなる。遮水壁１０の内側の地下水位が上昇すると、この地下水位が集水路１４を介して又は直接に浄化部１２に流れ込み、該浄化部１２で浄化された後、地下水流出部１１から周囲５へ流出する。【選択図】図４
2006305543.tif 000002
【特許請求の範囲】
【請求項１】
汚水地区を取り囲むように不透水層又は難透水層に達する遮水壁を構築して汚染土壌を汚染地区内に封じ込める原位置封じ込め工法において、
該遮水壁に、該遮水壁内側の地下水位が上昇したときに該遮水壁内側の地下水が該遮水壁の外部に流出する地下水流出部を設けると共に、この地下水流出部を通って該遮水壁の外部に流出する地下水を浄化する浄化手段を設けたことを特徴とする原位置封じ込め工法。
【請求項２】
請求項１において、前記浄化手段は、地下水中の汚染物質を除去又は無害化する処理剤と透水性材料とを含むことを特徴とする原位置封じ込め工法。
【請求項３】
請求項２において、該浄化手段は、前記処理剤及び透水性材料を収容した収容体を備ええており、該収容体の一端側に地下水の流入部が設けられ、他端側に、処理された地下水の流出部が設けられていることを特徴とする原位置封じ込め工法。
【請求項４】
請求項２又は３において、該処理剤は、鉄粉、活性炭、ハイドロタルサイト、希土類化合物、酸化マグネシウム、アルミナ、アロフェン、イオン交換樹脂、キレート樹脂及び粘土鉱物よりなる群から選ばれる１種又は２種以上の混合物であることを特徴とする原位置封じ込め工法。
【請求項５】
請求項２ないし４のいずれか１項において、前記遮水壁の内側領域から外側領域へ向う方向に複数の前記浄化手段が多段に設けられており、
少なくとも一部の浄化手段の処理剤は他の浄化手段の処理剤と異なることを特徴とする原位置封じ込め工法。
【請求項６】
請求項１ないし５のいずれか１項において、前記浄化手段は、前記地下水流出部よりも前記遮水壁の内側に設けられていることを特徴とする原位置封じ込め工法。
【請求項７】
請求項６において、前記遮水壁の内側領域に、該遮水壁内側の地下水を該地下水流出部に導くための集水路が設けられていることを特徴とする原位置封じ込め工法。
【請求項８】
請求項７において、該集水路は透水性材料よりなることを特徴とする原位置封じ込め工法。
【請求項９】
請求項７において、該集水路は、管壁に複数の貫通孔が設けられた孔あき管よりなることを特徴とする原位置封じ込め工法。
【請求項１０】
請求項７ないし９のいずれか１項において、前記流出部は、前記遮水壁の該集水路と同レベルかそれよりも下位に設けられていることを特徴とする原位置封じ込め工法。
【請求項１１】
請求項１ないし９のいずれか１項において、前記流出部は、前記遮水壁で囲まれた内側領域と該遮水壁の外側領域とを連通するように、流入口が該内側領域内に配置された排水管であることを特徴とする原位置封じ込め工法。
【請求項１２】
請求項１１において、該外側領域は下水道であることを特徴とする原位置封じ込め工法。
【発明の詳細な説明】
【技術分野】
【０００１】
本発明は、汚染土壌を周囲から離隔して封じ込める原位置封じ込め工法に係り、特に汚染地区を囲むように遮水壁を設ける原位置封じ込め工法に関する。さらに詳しくは、この遮水壁内側の地下水位が上昇したときに、この遮水壁内側から周囲へ流出する地下水を浄化処理するようにした原位置封じ込め工法に関する。
【背景技術】
【０００２】
汚染土を原位置において封じ込めることにより、当該汚染土壌から有害物質が溶出して区域外の地下水を汚染することを防止することが土壌汚染対策法に基づく技術的手法の解説（下記非特許文献１）に記載されている。同解説の第１１１ページには、「具体的には、汚染土壌の範囲及び当該範囲内における土壌汚染の深さをボーリング調査により確認し、土壌汚染の範囲を囲むようにして、汚染土壌の下の最初の不透水層まで鋼製矢板等の遮水壁を打ち込み、土壌汚染が当該範囲外に拡がるのを防ぐ。さらに当該範囲内に降雨等の浸透による封じ込め内部の地下水位への影響が生じないように、遮水機能を保有する材料で封じ込め上面を覆う。上面は舗装措置と同様に厚さが１０ｃｍ以上のコンクリートの層、又は厚さが３ｃｍ以上のアスファルトの層により覆うものとし、さらに必要に応じて土による覆いの措置を行うこととなる。」「封じ込め内部に異常な水位の上昇を確認した場合は、揚水による水位の低下や、遮水構造の補強等、適切な対策を講じる必要がある。」と記載されている。
【０００３】
上記の通り、遮水壁で囲んだ汚染地区内で水位が異常に上昇すると、遮水壁を溢流して汚染地下水が周囲に拡散することになるため、揚水等による水位低下等の対策が必要となる。特開２００３−５３３１７号には、汚染地区を取り囲むように不透水層に達する遮水壁を構築して汚染土壌を汚染地区内に封じ込める原位置封じ込め工法において、この遮水壁の内側に沿って所定深さに達する集排水溝を設け、この集排水溝より揚水を行うことにより遮水壁内側からの汚染地下水位の周囲への溢出を防止することが記載されている。
【特許文献１】特開２００３−５３３１７号
【非特許文献１】土壌汚染対策法に基づく調査及び措置の技術的手法の解説  平成１５年９月初版発行  監修：環境省  編・発行：社団法人土壌環境センター
【発明の開示】
【発明が解決しようとする課題】
【０００４】
上記特開２００３−５３３１７号では、ポンプで揚水した汚水地下水を浄化処理する水処理設備が別途必要になる。また、ポンプが必須であり、設備コストが高くなると共に、動力コストも掛かる。
【０００５】
本発明は、簡易な手段で封じ込め地区からの汚染地下水の拡散を防止することができる原位置封じ込め工法を提供することを目的とする。
【課題を解決するための手段】
【０００６】
請求項１の原位置封じ込め工法は、汚水地区を取り囲むように不透水層又は難透水層に達する遮水壁を構築して汚染土壌を汚染地区内に封じ込める原位置封じ込め工法において、該遮水壁に、該遮水壁内側の地下水位が上昇したときに該遮水壁内側の地下水が該遮水壁の外部に流出する地下水流出部を設けると共に、この地下水流出部を通って該遮水壁の外部に流出する地下水を浄化する浄化手段を設けたことを特徴とするものである。
【０００７】
請求項２の原位置封じ込め工法は、請求項１において、前記浄化手段は、地下水中の汚染物質を除去又は無害化する処理剤と透水性材料とを含むことを特徴とするものである。
【０００８】
請求項３の原位置封じ込め工法は、請求項２において、該浄化手段は、前記処理剤及び透水性材料を収容した収容体を備ええており、該収容体の一端側に地下水の流入部が設けられ、他端側に、処理された地下水の流出部が設けられていることを特徴とするものである。
【０００９】
請求項４の原位置封じ込め工法は、請求項２又は３において、該処理剤は、鉄粉、活性炭、ハイドロタルサイト、希土類化合物、酸化マグネシウム、アルミナ、アロフェン、イオン交換樹脂、キレート樹脂及び粘土鉱物よりなる群から選ばれる１種又は２種以上の混合物であることを特徴とするものである。
【００１０】
請求項５の原位置封じ込め工法は、請求項２ないし４のいずれか１項において、前記遮水壁の内側領域から外側領域へ向う方向に複数の前記浄化手段が多段に設けられており、少なくとも一部の浄化手段の処理剤は他の浄化手段の処理剤と異なることを特徴とするものである。
【００１１】
請求項６の原位置封じ込め工法は、請求項１ないし５のいずれか１項において、前記浄化手段は、前記地下水流出部よりも前記遮水壁の内側に設けられていることを特徴とするものである。
【００１２】
請求項７の原位置封じ込め工法は、請求項６において、前記遮水壁の内側領域に、該遮水壁内側の地下水を該地下水流出部に導くための集水路が設けられていることを特徴とするものである。
【００１３】
請求項８の原位置封じ込め工法は、請求項７において、該集水路は透水性材料よりなることを特徴とするものである。
【００１４】
請求項９の原位置封じ込め工法は、請求項７において、該集水路は、管壁に複数の貫通孔が設けられた孔あき管よりなることを特徴とするものである。
【００１５】
請求項１０の原位置封じ込め工法は、請求項７ないし９のいずれか１項において、前記流出部は、前記遮水壁の該集水路と同レベルかそれよりも下位に設けられていることを特徴とするものである。
【００１６】
請求項１１の原位置封じ込め工法は、請求項１ないし９のいずれか１項において、前記流出部は、前記遮水壁で囲まれた内側領域と該遮水壁の外側領域とを連通するように、流入口が該内側領域内に配置された排水管であることを特徴とするものである。
【００１７】
請求項１２の原位置封じ込め工法は、請求項１１において、該外側領域は下水道であることを特徴とするものである。
【発明の効果】
【００１８】
本発明の原位置封じ込め工法では、遮水壁内側の地下水位が所定以上上昇した場合、この遮水壁内側の地下水が、該遮水壁に設けられた地下水流出部から該遮水壁の外部に流出するが、この流出水を浄化手段で浄化するため、遮水壁の外部の汚染が防止される。
【００１９】
本発明の浄化手段としては、地下水の汚染物質を除去又は分解する処理剤と、砂、砕石などの透水性材料とを含むものが好適である。
【００２０】
本発明では、この浄化手段は、該処理剤及び透水性材料を収容した収容体を備ええており、該収容体の一端側に地下水の流入部が設けられ、他端側に、処理された地下水の流出部が設けられている構成であることが好ましい。この場合、該収容体内を通過する地下水の流れは押し出し流れとなる。
【００２１】
処理剤としては、鉄粉、活性炭、ハイドロタルサイト、希土類化合物、酸化マグネシウム、アルミナ、アロフェン、イオン交換樹脂、キレート樹脂、粘土鉱物などが例示される。これらの処理剤は、地下水の汚染物質の種類に応じ、それぞれ単独で使用してもよく、あるいはこれらの２種以上を混合して使用してもよい。
【００２２】
本発明においては、遮水壁の内側領域から外側領域へ向う方向に複数の浄化手段が多段に設けられており、少なくとも一部の浄化手段の処理剤は他の浄化手段の処理剤と異なっている構成としてもよい。このように構成することにより、地下水中の複数種の汚染物質をそれぞれ効率良く除去又は無害化することができる。
【００２３】
この浄化手段は、地下水流出部よりも遮水壁内側に設けられることが好ましい。
【００２４】
この遮水壁の内側領域に、該遮水壁内側の地下水を該地下水流出部に導くための集水路を設けておくと、汚染地区の地下水をスムーズに集水することができる。
【００２５】
この集水管は、透水性材料により構成されてもよく、管壁に複数の貫通孔が設けられた孔あき管により構成されてもよい。
【００２６】
本発明において、地下水流出部は、遮水壁の集水路と同レベルか又はそれよりも下位に設けられてもよい。
【００２７】
また、この地下水流出部は、該遮水壁の内側領域と外側領域とを連通し、その流入口が該内側領域に配置された排水管であってもよい。この場合、該排水管の流出口は、下水道に接続されていることが好ましい。
【００２８】
本発明の原位置封じ込め工法は、不透水層あるいは難透水層に相当するものを人工的に構築したものでも適用できる。
【発明を実施するための最良の形態】
【００２９】
以下、図面を参照して実施の形態について説明する。図１は実施の形態に係る原位置封じ込め工法が適用された地域を示す断面斜視図、図２はこの地域の地下構築物を土を透視した状態で示す平面図、図３（ａ）は図１のIIIa−IIIa線断面図、図３（ｂ）は図４のIIIb−IIIb線断面図、図４は、土中に設けられた遮水壁、浄化手段及び集水路を示す土中の透視斜視図である。
【００３０】
図３（ａ）の通り、地表１から所定深さに不透水層３あるいは難透水層が存在し、その上側に帯水層２が存在する。
【００３１】
この地域の全部又は一部に汚染土壌４が存在しているので、遮水壁１０によって該汚染土壌４を周囲５から隔離して封じ込める。
【００３２】
この遮水壁１０は、下端が不透水層あるいは難透水層３内に達し、上端は地下水位６より上位の地表１近くに位置している。なお、遮水壁１０の上端は地表１に達してもよい。
【００３３】
この遮水壁１０は、汚染土壌４の全周を取り囲んでいる。この実施の形態では、平面視形状が方形枠状であるが、これに限定されない。
【００３４】
この遮水壁１０は、地中に多数のボーリング穿孔を連続列状に施してコンクリートを流し込むことにより構築することができるが、遮水用鋼矢板を打ち込むことにより形成されてもよい。
【００３５】
図４に明示される通り、この遮水壁１０には、上端から下方に凹む低所よりなる方形の地下水流出部１１が１箇所又は複数箇所（この実施の形態では３箇所）に設けられている。この地下水流出部１１の下縁は地下水位６よりも所定高さ（例えば０〜１００ｃｍ程度）上位となっている。
【００３６】
この地下水流出部１１よりも内側（汚染土壌４側）に浄化部１２が設けられている。この浄化部１２は、砂、砕石などの透水性材料と、鉄粉及び／又は活性炭などの汚染物質の除去ないし分解等による浄化作用を奏する処理剤との混合物よりなる。なお、処理剤としては、ハイドロタルサイト、酸化マグネシウム、アルミナ、アロフェン、イオン交換樹脂、粘土鉱物などを用いてもよい。
【００３７】
この浄化部１２の両側及び下部には鋼矢板などよりなる板材１３が配置されている。板材１３の代りに防水コンクリート壁を設けてもよい。
【００３８】
この浄化部１２の上面は、地下水流出部１１の下縁よりも好ましくは０〜２００ｃｍ程度上位に位置している。また、浄化部１２の下面は、地下水流出部１１の下縁よりも好ましくは５０〜５００ｃｍ下位に位置している。浄化部１２の両側面は、地下水流出部１１の側縁と面一となっているが、浄化部１２はそれよりも幅大に設けられてもよい。
【００３９】
浄化部１２は遮水壁１０の内側面に当接するように設けられている。また、この実施の形態では、浄化部１２の一部は地下水流出部１１内に入り込んでいる。
【００４０】
板材１３は、浄化部１２の上面よりも好ましくは０〜５００ｃｍ上方にまで延在し、また、浄化部１２の下面よりも好ましくは０〜５００ｃｍ下方にまで延在している。板材１３は遮水壁１０の内側面に当接している。この当接部には必要に応じシールが施されてもよい。
【００４１】
板材１３は、浄化部１２の両側面及び下部の全体を覆っており、側面から水が浄化部１２に流入して短絡的に地下水流出部１１へ流出することが防止されている。
【００４２】
遮水壁１０の内側面と平行方向に且つ地下水位６を含むレベルに集水路１４が設けられている。この集水路１４は砂、砕石などの透水性材料よりなる。なお、集水路１４は孔あき管であってもよい。
【００４３】
この集水路１４は、浄化部１２の地下水流出部１１と反対側の端面に接するように配置されている。この集水路１４は、遮水壁１０の内側面に沿って連続して周回するように設けられているが、途中が部分的に途切れていてもよい。また、汚染地区全域にわたって櫛の歯状に集水路１４を設けてもよい。
【００４４】
図示はしないが、地表１をアスファルト、コンクリート、遮水シート等によって覆い、雨水の地下浸透を防止するようにしてもよい。
【００４５】
このように構成された封じ込め構造において、通常は遮水壁１０の内側の地下水位は地下水流出部１１の下縁と同位か又はそれよりも下位となっているため、汚染区域から周囲５へ地下水が流出することはない。
【００４６】
降雨など何らかの原因によって遮水壁１０の内側の地下水位が上昇すると、この地下水が集水路１４を介して又は直接に浄化部１２に流れ込み、該浄化部１２で浄化された後、地下水流出部１１から周囲５へ流出する。この流出水は、浄化部１２で重金属除去あるいはハロゲン化有機物等の汚染物質の分解ないしは吸着除去処理を受けたものであり、周囲５を汚染することはない。
【００４７】
なお、汚染物質が揮発性有機塩素化合物である場合、地表１をアスファルト等で覆うと、（酸素）の地中への拡散が防止され、該化合物の浄化処理効率が向上する。
【００４８】
汚染物質が重金属である場合、汚染土壌４や汚染土壌４内の水を空気と接触させてもよく、これにより重金属の浄化処理効率が向上する。
【００４９】
図５は別の実施の形態に係る原位置封じ込め工法が適用された地域の平面図、図６はこの地域の地下水流出部付近の拡大平面図、図７は図６のVII−VII線に沿う断面図である。
【００５０】
この実施の形態では、遮水壁１０に囲まれた内側領域と外側領域とを連通するように、該内側領域に地下水流入口が配置された排水管２０が設けられている。
【００５１】
図５に示すように、この実施の形態でも、汚染土壌（汚染地域）４の四方を取り囲むようにして方形枠状の遮水壁１０が構築されている。前述の通り、この遮水壁１０は、下端が不透水層あるいは難透水層３内に達し、上端は地下水位６よりも上位の地表１近くに位置しているが、この遮水壁１０の上端は地表１に達してもよい。この実施の形態では、この遮水壁１０の上端から下方に凹む低所よりなる流出部１１は設けられていない。
【００５２】
この実施の形態では、該遮水壁１０の内側領域の一コーナー部付近に集水容器２１が設置されている。この集水容器２１は、この実施の形態では有底筒状の容器であり、底部が地下水位６よりも下位に位置しており、上部は地表１に表出している。この集水容器２１の上端には蓋２１ａが装着されている。ただし、この集水容器２１の上部は地表１に表出していなくてもよい。
【００５３】
地下水位６よりも下位となる集水容器２１の底部付近に、前記排水管２０の一端（地下水流入口）が接続されている。この排水管２０は、遮水壁１０の内側領域から遮水壁１０を貫通して遮水壁１０の外側領域に延出している。この排水管２０は、遮水壁１０の内側領域から外側領域に向って下り勾配となるように配設されている。
【００５４】
この実施の形態では、この排水管２０の他端側（流出口）は、遮水壁１０の外側領域を流れる下水道（図示略）に接続されている。なお、下水道がこの排水管２０よりも上位となる高さに配設されている場合には、揚水設備（図示略）を介して排水管２０と下水道とを接続してもよい。
【００５５】
遮水壁１０の内側領域において、集水容器２１に隣接して浄水部１２Ａが設置されている。この浄水部１２Ａは、図６に示すように、砂や砕石などの透水性材料と、汚染物質の除去ないし分解等による浄化作用を奏する処理剤と、これらの透水性材料及び処理剤を収容した収容体２４とを備えている。
【００５６】
図示の通り、該収容体２４は、この実施の形態では、浄水部１２Ａの３方を取り囲むように略コ字形に配設された、鋼矢板等よりなる３枚の板材２４ａ，２４ｂ，２４ｃにより構築されている。各板材２４ａ〜２４ｃ同士の接合部には、必要に応じシールが施されている。この収容体２４のうち、これらの板材２４ａ〜２４ｃによって塞がれていない側が、該収容体２４内への地下水の流入部２４ｄとなっている。この流入部２４ｄと反体側を塞いでいる板材２４ｂには、処理された地下水の流出口２４ｅが設けられている。この流出口２４ｅは、配管２５を介して集水容器２１内に連通している。なお、上記板材２４ａ〜２４ｃの代りに、コンクリート壁により収容体２４を構築してもよい。
【００５７】
この収容体２４の各板材２４ａ〜２４ｃは、地下水位６よりも好ましくは０〜５００ｃｍ上方まで延在すると共に、該地下水位６よりも好ましくは０〜５００ｃｍ下方まで延在している。前記流出口２４ｅ及び配管２５は、地下水位６を含むレベルに略水平に配設されている。
【００５８】
この実施の形態では、収容体２４内に、前記流入部２４ｄから流出口２４ｅに向う方向に、第１の透水性材料の層２２ａ、第１の処理剤の層２３ａ、第２の透水性材料の層２２ｂ、第２の処理剤の層２３ｂ及び第３の透水性材料の層２２ｃがこの順に多層状に形成されている。
【００５９】
各層２２ａ〜２２ｃ，２３ａ，２３ｂは、互いに対向する板材２４ａ，２４ｃ同士の一方の内側面から他方の内側面まで、並びに流入部２４ｄからこれと反対側の板材２４ｂの内側面まで、それぞれフルに充填されている。各層２２ａ〜２２ｃ，２３ａ，２３ｂは、それぞれ、下面が地下水位６よりも好ましくは５０〜５００ｃｍ下方にまで達し、上面が該地下水位６よりも好ましくは０〜２００ｃｍ上方にまで達している。
【００６０】
なお、この実施の形態では、各層２２ａ〜２２ｃ，２３ａ，２３ｂの上面及び下面と各板材２４ａ〜２４ｃの上辺及び下辺とがそれぞれ略同一レベルに位置しているが、各板材２４ａ〜２４ｃは、各層２２ａ〜２２ｃ，２３ａ，２３ｂの下面よりも下方にまで延在していてもよく、また各層２２ａ〜２２ｃ，２３ａ，２３ｂの上面よりも上方にまで延在していてもよい。
【００６１】
この実施の形態では、第１の処理剤の層２３ａと第２の処理剤の層２３ｂとはそれぞれ種類（又は配合）の異なる処理剤により構成されている。前述の通り、処理剤としては、鉄粉、活性炭、ハイドロタルサイト、希土類化合物、酸化マグネシウム、アルミナ、アロフェン、イオン交換樹脂、キレート樹脂、粘土鉱物などが例示される。このような処理剤の中から、地下水に含まれる汚染物質に応じて適宜選択される。この際、第１及び第２の各処理剤の層２３ａ，２３ｂとして、種類の異なる処理剤をそれぞれ単独にて（混合せずに）使用してもよく、それぞれ２種類以上の処理剤を混合して使用してもよい。
【００６２】
第１〜第３の透水性材料の層２２ａ〜２２ｃは、いずれも同じ種類の透水性材料により構成されてもよく、それぞれ種類の異なる透水性材料により構成されてもよい。
【００６３】
この実施の形態では、浄化部１２Ａの三方を板材２４ａ〜２４ｃで囲むことにより、水が浄化部１２Ａに流入して短絡的に集水容器２１へ流出することが防止されている。なお、必要に応じ、浄化部１２Ａの底面や上面にも板材を設け、浄化部１２Ａの底面や上面から水が浄化部１２Ａに流入することを防止してもよい。
【００６４】
この実施の形態では、地下水位６を含むレベルに、遮水壁１０の内側の汚染地域全体にわたって櫛の歯状に集水路１４Ａが設けられている。なお、この実施の形態でも、集水路１４Ａは砂、砕石などの透水性材料よりなるが、孔あき管等により構成されてもよい。
【００６５】
詳しくは、この実施の形態では、図５の通り、遮水壁１０によって囲まれた方形の汚染地域４を、集水容器２１が設置されたコーナー部付近から対角線状に横切るように、幹集水路１４ａが延設されている。この幹集水路１４ａの基端側は、浄水部１２Ａの流入部２４ｄに臨む第１の透水性材料の層２２ａの端面に接するように配置されている。
【００６６】
この幹集水路１４ａの延在方向の途中の複数箇所から、遮水壁１０の直交２方向（図５の上下方向及び左右方向）の各辺と平行に、それぞれ枝集水路１４ｂが延出している。（なお、この実施の形態では、幹集水路１４ａから、図５の左右方向及び上下方向にそれぞれ間隔をおいて６本ずつ枝集水路１４ｂが延出している。）
【００６７】
図示はしないが、この実施の形態でも、地表１をアスファルト、コンクリート、遮水シート等によって覆い、雨水の地下浸透を防止するようにしてもよい。
【００６８】
このように構成された封じ込め構造においても、降雨など何らかの原因によって遮水壁１０の内側の地下水位６が上昇すると、この地下水が集水路１４Ａを介して又は直接に浄化部１２Ａに流れ込む。この際、該集水路１４Ａから流入部２４ｄを介して地下水が収容体２４内に流入し、第１の透水性材料の層２２ａ、第１の処理剤の層２３ａ、第２の透水性材料の層２２ｂ、第２の処理剤の層２３ｂ及び第３の透水性材料の層２２ｃを順次に通過することにより、地下水の汚染物質が除去ないし無害化される。
【００６９】
この地下水は、該浄化部１２Ａで浄化された後、流出口２４ｅから配管２５、集水容器２１及び排水管２０を介して、遮水壁１０の外側領域を流れる下水道へ流出する。この流出水は、浄化部１２Ａで汚染物質の分解ないしは吸着除去処理を受けたものであり、下水道を汚染することはない。
【００７０】
この実施の形態にあっては、汚染地域４の略全体にわたって集水路１４Ａが配設されているので、該汚染地域４の略全体にわたって満遍なく地下水を集水することができる。
【００７１】
上記の実施の形態では、集水容器２１（排水管２０の流入口）は遮水壁１０の内側領域のコーナー部付近に配置されているが、集水容器２１（排水管２０の流入口）の配置はこれに限定されない。また、この遮水壁１０の内側領域内における集水路の配置も、上記の各実施の形態に限定されない。
【００７２】
例えば、図８のように、集水容器２１（排水管２０の流入口）は、汚染地域４のほぼ中央付近に配置されてもよい。
【００７３】
なお、この図８の実施の形態でも、汚染地域４の略全体にわたって集水路１４Ｂが配設されている。
【００７４】
この実施の形態では、汚染地域４の３方を囲む遮水壁１０の内側面に沿って略コ字形集水路１４ｃが延設され、その内側に一回り小さい略コ字形集水路１４ｄが延設され、その内側にもう一回り小さい略コ字形集水路１４ｅが延設され、その内側にさらにもう一回り小さい略コ字形集水路１４ｆが延設されている。また、これらの略コ字形集水路１４ｃ〜１４ｆの両端部付近同士を短絡するように、残る一方の遮水壁１０の内側面に沿って集水路１４ｇが延設されると共に、該略コ字形集水路１４ｃ〜１４ｆの延在方向の中間部付近同士を横切るようにして、該汚染地域４の中央へ向って集水路１４ｈが延設されている。
【００７５】
この最も内側の略コ字形集水路１４ｆの内側に集水容器２１と浄化部１２Ａとが配置されている。集水路１４ｈの末端は、この浄化部１２Ａに接続されている。
【００７６】
この実施の形態にあっても、汚染地域４の略全体にわたって集水路１４Ｂが配設されているので、該汚染地域４の略全体にわたって満遍なく地下水を集水することができる。
【００７７】
上記の各実施の形態はいずれも本発明の一例を示すものであり、本発明は上記の実施の形態に限定されるものではない。
【図面の簡単な説明】
【００７８】
【図１】実施の形態に係る原位置封じ込め工法が適用された地域を示す斜視図である。
【図２】この地域の地下構築物を示す平面図である。
【図３】図３（ａ）は図１のIIIa−IIIa線断面図、図３（ｂ）は図４のIIIb−IIIb線断面図である。
【図４】遮水壁、浄化手段及び集水路を示す斜視図である。
【図５】別の実施の形態に係る原位置封じ込め工法が適用された地域の平面図である。
【図６】図５の地域の地下水流出部付近の拡大平面図である。
【図７】図６のVII−VII線に沿う断面図である。
【図８】さらに別の実施の形態に係る原位置封じ込め工法が適用された地域を示す斜視図である。
【符号の説明】
【００７９】
１０  遮水壁
１１  地下水流出部
１２，１２Ａ  浄化部
１３  板材
１４，１４Ａ，１４Ｂ  集水路
２０  排水管
２１  集水容器
２２ａ〜２２ｃ  透水性材料の層
２３ａ〜２３ｂ  処理剤の層
２４  収容体
２４ｄ  流入部
２４ｅ  流出口
【図１】
2006305543.tif 000003
【図２】
2006305543.tif 000004
【図３】
2006305543.tif 000005
【図４】
2006305543.tif 000006
【図５】
2006305543.tif 000007
【図６】
2006305543.tif 000008
【図７】
2006305543.tif 000009
【図８】
2006305543.tif 000010